(57)【要約】【課題】ウォブル信号に同期して生成される記録クロックの周波数安定化を簡素な構成で実現することができる情報記録再生装置を提供する。【解決手段】本発明に係る情報記録再生装置は、光ディスクに記録クロックを用いてデータを記録する情報記録再生装置において、光ディスクの再生信号から抽出されるウォブル信号によるフェーズロック制御に基づいて周波数制御され、記録クロックの発振源となるＶＣＯと、ＶＣＯの周波数変動量を検出する周波数変動検出部と、を備え、ＶＣＯは、フェーズロック制御に基づく周波数制御に加えて、周波数変動検出部にて検出される周波数変動量に基づいて周波数制御される、ことを特徴とする。【選択図】  図２
2007207291.tif 000002
【特許請求の範囲】
【請求項１】
光ディスクに記録クロックを用いてデータを記録する情報記録再生装置において、
前記光ディスクの再生信号から抽出されるウォブル信号によるフェーズロック制御に基づいて周波数制御され、前記記録クロックの発振源となるＶＣＯと、
前記ＶＣＯの周波数変動量を検出する周波数変動検出部と、
を備え、
前記ＶＣＯは、前記フェーズロック制御に基づく周波数制御に加えて、前記周波数変動検出部にて検出される前記周波数変動量に基づいて周波数制御される、
ことを特徴とする情報記録再生装置。
【請求項２】
前記周波数変動検出部は、固定周波数発振源と周波数差検出部とを備え、
前記周波数差検出部は、前記ＶＣＯの周波数と前記固定周波数発振源との周波数差を前記周波数変動量として検出する、
ことを特徴とする請求項１に記載の情報記録再生装置。
【請求項３】
前記周波数差検出部は、
前記固定周波数発振源の出力信号を、その周波数に対応するパルス繰返し周波数と一定のパルス幅とを有する第１のパルス列に変換する第１のパルス生成部と、
前記ＶＣＯの出力信号を、その周波数に対応するパルス繰返し周波数と前記一定のパルス幅とを有する第２のパルス列に変換する第２のパルス生成部と、
を備え、
前記第１のパルス列の平均電流と、前記第２のパルス列の平均電流との差から前記周波数差を検出する、ことを特徴とする請求項２に記載の情報記録再生装置。
【請求項４】
前記周波数変動検出部にて検出される前記周波数変動量に基づく周波数制御の開ループ特性は、
所定の周波数以下で減衰特性を有する、ことを特徴とする請求項１に記載の情報記録再生装置。
【請求項５】
前記周波数変動検出部にて検出される前記周波数変動量に基づく周波数制御の開ループ特性は、
その制御帯域の上限周波数が、前記ウォブル信号によるフェーズロック制御の制御帯域の上限周波数よりも高く設定されている、ことを特徴とする請求項１に記載の情報記録再生装置。
【請求項６】
光ディスクに記録クロックを用いてデータを記録する情報記録再生装置の記録クロック生成方法において、
前記光ディスクの再生信号から抽出されるウォブル信号によるフェーズロック制御に基づいて、前記記録クロックの発信源となるＶＣＯの周波数を制御する周波数制御ステップと、
前記ＶＣＯの周波数変動量を検出する周波数変動検出ステップと、
を備え、
前記周波数制御ステップは、前記フェーズロック制御に基づく周波数制御に加えて、前記周波数変動検出ステップにて検出された前記周波数変動量に基づいて前記ＶＣＯの周波数を制御する、
ことを特徴とする情報記録再生装置の記録クロック生成方法。
【請求項７】
前記周波数変動検出ステップは、前記ＶＣＯの周波数と固定周波数発振源の周波数との周波数差を前記周波数変動量として検出する周波数差検出ステップを備える、
ことを特徴とする請求項６に記載の情報記録再生装置の記録クロック生成方法。
【請求項８】
前記周波数差検出ステップは、
前記固定周波数発振源の出力信号を、その周波数に対応するパルス繰り返し周波数と一定のパルス幅とを有する第１のパルス列に変換し、
前記ＶＣＯの出力信号を、その周波数に対応するパルス繰り返し周波数と前記一定のパルス幅とを有する第２のパルス列に変換し、
前記第１のパルス列の平均電流と、前記第２のパルス列の平均電流との差から前記周波数差を検出する、ことを特徴とする請求項７に記載の情報記録再生装置の記録クロック生成方法。
【請求項９】
前記周波数変動検出ステップにて検出される前記周波数変動量に基づく周波数制御の開ループ特性は、
所定の周波数以下で減衰特性を有する、ことを特徴とする請求項６に記載の情報記録再生装置の記録クロック生成方法。
【請求項１０】
前記周波数変動検出ステップにて検出される前記周波数変動量に基づく周波数制御の開ループ特性は、
その制御帯域の上限周波数が、前記ウォブル信号によるフェーズロック制御の制御帯域の上限周波数よりも高く設定されている、ことを特徴とする請求項６に記載の情報記録再生装置の記録クロック生成方法。
【発明の詳細な説明】
【技術分野】
【０００１】
本発明は、情報記録再生装置、およびその記録クロック生成方法に係り、特に、ウォブル信号を有する光ディスクに対して記録、再生を行う情報記録再生装置、およびその記録クロック生成方法に関する。
【背景技術】
【０００２】
書き換え型、および追記型の光ディスクにデータを記録する際には、記録クロックを用いてデータの記録を行っている。光ディスクに対するデータの記録密度或いは記録データレートは、この記録クロックのクロック周波数に依存する。
【０００３】
記録データレートを一定に維持するためには、記録クロック周波数の高い安定性が求められる。また、回転角速度が一定の光ディスク方式では、光ディスクのトラック方向の線速度が内周から外周に向けて高くなっていくため、トラック上の記録密度を一定に保つためには、記録クロック周波数を内周から外周に向けて高くなるように変化させる必要がある。
【０００４】
このような記録クロックを生成することを目的の１つとして、書き換え型、および追記型のＣＤやＤＶＤ等には、ウォブルと呼ばれる正弦波状のうねりを持ったグルーブ或いはランドが形成されている。
【０００５】
光ディスクにデータを記録する際には、ウォブルの形状に対応した略正弦波状のウォブル信号を光ディスクから抽出し、このウォブル信号に同期させた記録クロックを、例えばＰＬＬで生成し、生成した記録クロックを用いてデータを記録する。
【０００６】
光ディスク上の物理的なウォブル周期を内周、外周に関わらず一定に形成しておけば、回転角速度が一定の光ディスク方式の場合、内周側から外周側に向けてウォブル周波数は高くなり、これに応じて記録クロック周波数も高くなり、光ディスク上の記録密度を一定に維持することができる。
【０００７】
上記のように、ウォブル信号を入力とし、ウォブル信号に同期させた記録クロックをＰＬＬ等によって生成する方法が一般的であるが、例えば、特許文献１に開示されているように、ウォブル信号自体を用いずに記録クロックを生成する方法も提案されている。
【０００８】
特許文献１が開示する技術は、ウォブル信号とは非同期の記録クロック生成用の周波数シンセサイザを別途設け、ウォブル信号から別途抽出される光ディスクの物理アドレス情報に基づいて周波数シンセサイザの周波数を制御するものである。例えば、物理アドレスが光ディスクの外周に近い場合、より高い周波数の記録クロックを周波数シンセサイザで生成しようとするものである。
【特許文献１】特開２００４−５５１０４号公報
【発明の開示】
【発明が解決しようとする課題】
【０００９】
ところで、近時、情報記録再生装置の小型化、低コスト化等の要請から、情報記録再生装置の記録再生処理回路や各種クロック生成回路等を１つ、或いは複数のシステムＬＳＩとして構成する形態が増加してきている。
【００１０】
記録クロック用のＰＬＬ回路を構成するＶＣＯもこれらのシステムＬＳＩの構成要素として組み込まれことが多い。このため、システムＬＳＩの外部のデジタル信号のみならず、システムＬＳＩ内部のデジタル信号がノイズとしてＶＣＯの入力端やＶＣＯ内部に重畳し、ＶＣＯ周波数の安定性の阻害要因となっている。
【００１１】
図５は、ウォブル信号から記録クロックを生成する典型的な従来の回路例を示す図である。この回路は、ウォブルＰＬＬ１００と記録クロックＰＬＬ２００とを備えて構成されており、記録クロックＰＬＬ２００は、さらに、ＶＣＯ２０１、分周器２０２、位相比較器２０３、およびループ補償器２０４を備えている。
【００１２】
ウォブルＰＬＬ１００は、入力されるウォブル信号に同期した、ウォブル信号と同一周期ＴｗのウォブルＰＬＬクロックを生成し、位相比較器２０３に出力する。
【００１３】
一方、ＶＣＯ２０１は、ウォブルＰＬＬクロックよりも高い周波数の記録クロックを生成するクロック発生器であり、記録クロックは分周器２０２によってウォブルＰＬＬクロックに近い周波数まで分周された後、位相比較器２０３にフィードバックされる。
【００１４】
位相比較器２０３において、分周された記録クロックとウォブルＰＬＬクロックとの位相誤差が得られる。この位相誤差はループ補償器２０４を介してＶＣＯ２０１の制御電圧としてＶＣＯ２０１に印加される。
【００１５】
この記録クロックＰＬＬ２００によって、ウォブル信号の周波数変化に追従する周波数の記録クロックが得られる。
【００１６】
図５において、ＶＣＯ２０１の入力端に加算されるノイズｎは、上述した各種デジタル信号等のノイズがＶＣＯの入力端やＶＣＯ内部に重畳される状態をモデル化したものである。
【００１７】
一般に、ＰＬＬの制御帯域は、位相比較周波数（この場合は、ウォブル信号の周波数）よりも高くすることは原理的にできない。このため、記録クロックＰＬＬ２００に入るノイズ（外乱）ｎを抑圧する能力は、高くともその制御帯域以下の周波数内に留まり、これ以上の周波数では、ノイズｎによる周波数変動は抑圧されずに放置されることとなる。
【００１８】
この結果、記録クロックＰＬＬ２００で生成された記録クロックには、ウォブル信号の周波数よりも高い周波数帯域での周波数変動が抑圧できずに残留し、結果的に記録クロックのジッタ成分となる。記録クロックのジッタは、光ディスクへの記録信号の品質劣化要因となる。また、この記録クロックを光ディスクの再生処理に利用する場合もあり、その場合には、再生信号劣化の要因ともなる。
【００１９】
このように、ＶＣＯ２０１の周波数安定化、ひいては記録クロック周波数の安定化は大きな課題である。今後システムＬＳＩ等の集積度が益々増加し、ノイズの増大が予想されることから、ＶＣＯ２０１の周波数安定化という課題解決の重要性はさらに高くなってきている。
【００２０】
特許文献１が開示する技術は、ウォブル信号とは切り離された周波数シンセサイザによって記録クロックを生成するものであるが、周波数シンセサイザをシステムＬＳＩ等に組み込んで実現する場合には、周波数シンセサイザが内蔵するＶＣＯにおいても類似の問題が生じることが予想される。また、記録クロックを周波数シンセサイザで生成する形態は、システム規模が複雑化し、コスト増加の要因となる。
【００２１】
本発明は、上記事情に鑑みてなされたものであり、ウォブル信号に同期して生成される記録クロックの周波数安定化を簡素な構成で実現することができる、情報記録再生装置、およびその記録クロック生成方法を提供することを目的とする。
【課題を解決するための手段】
【００２２】
上記課題を解決するため、本発明に係る情報記録再生装置は、請求項１に記載したように、光ディスクに記録クロックを用いてデータを記録する情報記録再生装置において、前記光ディスクの再生信号から抽出されるウォブル信号によるフェーズロック制御に基づいて周波数制御され、前記記録クロックの発振源となるＶＣＯと、前記ＶＣＯの周波数変動量を検出する周波数変動検出部と、を備え、前記ＶＣＯは、前記フェーズロック制御に基づく周波数制御に加えて、前記周波数変動検出部にて検出される前記周波数変動量に基づいて周波数制御される、ことを特徴とする。
【００２３】
また、上記課題を解決するため、本発明に係る情報記録再生装置の記録クロック生成方法は、請求項６に記載したように、光ディスクに記録クロックを用いてデータを記録する情報記録再生装置の記録クロック生成方法において、前記光ディスクの再生信号から抽出されるウォブル信号によるフェーズロック制御に基づいて、前記記録クロックの発信源となるＶＣＯの周波数を制御する周波数制御ステップと、前記ＶＣＯの周波数変動量を検出する周波数変動検出ステップと、を備え、前記周波数制御ステップは、前記フェーズロック制御に基づく周波数制御に加えて、前記周波数変動検出ステップにて検出された前記周波数変動量に基づいて前記ＶＣＯの周波数を制御する、ことを特徴とする。
【発明の効果】
【００２４】
本発明に係る情報記録再生装置、およびその記録クロック生成方法によれば、ウォブル信号に同期して生成される記録クロックの周波数安定化を簡素な構成で実現することができる。
【発明を実施するための最良の形態】
【００２５】
本発明に係る情報記録再生装置、およびその記録クロック生成方法の実施形態に付いて、添付図面を参照して説明する。
【００２６】
（１）情報記録再生装置
図１は、本発明の実施形態に係る情報記録再生装置１のシステム構成例を示す図である。
【００２７】
図１に示す光ディスク１０は、例えば、ＨＤ  ＤＶＤ−ＲやＨＤ  ＤＶＤ−ＲＡＭのような、追記型或いは書き換え型の光ディスクである。このタイプの光ディスク１０では、ウォブルと呼ばれる正弦波状のうねりを持ったグルーブ或いはランドが形成されている。
【００２８】
光ディスクにデータを記録する際には、ウォブルの形状に対応した略正弦波状のウォブル信号を光ディスクから抽出し、このウォブル信号に同期させた記録クロックを、例えばＰＬＬで生成し、生成した記録クロックを用いてデータを記録する。
【００２９】
光ディスク上の物理的なウォブル周期を一定に形成しておけば、記録クロックはウォブル信号に同期して生成されるため、光ディスク上の記録密度を一定に維持することができる。
【００３０】
情報記録再生装置１は、図１に示したように、光ディスク１０を回転させるディスクモータ１１、光ディスク１０に照射するレーザ光を発生させるレーザダイオード１３、レーザ光を光ディスク１０上に集光させる対物レンズ１２、光ディスク１０からの反射光を光電変換するフォトディテクタ１４を備えている。
【００３１】
また、情報記録再生装置１は、光ディスク１０に記録されたデータを再生する再生系として、プリアンプ１５、ＲＦアンプ１６、波形等化部１７、再生信号処理部１８、誤り訂正部１９、再生データコントローラ２０を備えている。
【００３２】
プリアンプ１５は、フォトディテクタ１４から出力される複数チャネルの信号を増幅する。ＲＦアンプ１６は、複数チャネルの信号を総て加算してさらに増幅する。
【００３３】
波形等化部１７は、ＲＦアンプ１６の出力信号に対して、記録波長の短い周波数の減衰を補償するために周波数依存振幅特性を与え、記録波長による振幅の違いを緩和する。
【００３４】
再生信号処理部１８は、波形等化された信号から、ビタビ復号等の波形判別手法を用いて元のデジタル変調データを再生し、さらに、ＥＴＭ（Eight  to  Twelve  Modulation）変調を復調する。
【００３５】
誤り訂正部１９は、復調データに対して誤り訂正処理を行う。誤り訂正されたデータは、再生データコントローラ２０において、ホスト機器（図示せず）、例えばパーソナルコンピュータ、から要求された順序に編集された後、インターフェース部２１を介してホスト機器に出力される。
【００３６】
他方、情報記録再生装置１は、記録系として、記録データコントローラ２２、記録信号処理部２３、記録補償部２４、およびＯＰＣ（Optical  Power  Controller）２５を備えている。
【００３７】
ホスト機器からは、記録要求と共に、記録データがインターフェース部２１を介して記録データコントローラ２２に入力されてくる。記録データコントローラ２２では、この記録データを光ディスク１０の物理的記録に適した順序に並び替える。
【００３８】
記録信号処理部２３は、記録データに誤り訂正のための符号を付加し、さらにＥＴＭ変調規則に従って変調する。
【００３９】
記録補償部２４では、光ディスク１０の物理的特性に合わせて、記録による歪が最も少なくなるようなレーザ強度波形を生成する。
【００４０】
ＯＰＣ２５は、記録補償部２４で生成された波形どおりにレーザパワーが出力されるようにレーザダイオード１２を駆動点灯させる。なお、ＯＰＣ２５は、再生時には、光ディスク１０にダメージを与えないように再生に適したパワーでレーザダイオード１２を点灯させるようにしている。
【００４１】
また、情報記録再生装置１は、記録クロック生成系として、プッシュプル信号生成部２７、ウォブルＰＬＬ部３０、および記録クロック生成部４０を備えている。
【００４２】
プッシュプル信号生成部２７は、フォトディテクタ１４で検出されるラジアル方向の半面ずつの光量から、その差信号（プッシュプル信号と呼ばれる）を生成する。このプッシュプル信号によって、グルーブのラジアル方向の移動量を検出することができるため、トラッキングサーボ系（図示せず）ではトラッキングエラー信号として用いられる。
【００４３】
一方、プッシュプル信号は、グルーブに施されているウォブル波形に対応したウォブル信号ともなる。
【００４４】
ウォブルＰＬＬ部３０では、このウォブル信号に位相同期させたウォブルＰＬＬクロックを生成する。このウォブルＰＬＬクロックは、ウォブル信号に位相変調された光ディスク１０の物理アドレスの読み取りに用いられる他、記録信号処理部２３や記録補償部２４へ供給される記録クロックの生成に用いられる。この記録クロックの生成は、記録クロック生成部４０によって行われる。
【００４５】
（２）記録クロック生成部
図２は、記録クロック生成部４０の細部構成例を示す図である。
【００４６】
記録クロック生成部４０は、主に、記録クロック生成フェーズロックループＬｐと、ダンピングループＬｄの２つのフィードバックループから構成されている。
【００４７】
記録クロック生成フェーズロックループＬｐは、位相比較器４２、ループ補償部４３、減算部４４、ＶＣＯ４５、分周部（２）、および分周部（３）から構成されている。
【００４８】
ＶＣＯ４５では、記録クロックの源発振となる周波数をもつ信号が出力される。ＶＣＯ４５の出力は、分周部（２）で分周されて、記録クロックが生成される。
【００４９】
記録クロックは、分周部（３）でさらに分周された後、位相比較器４２の一方の入力端に入力される。位相比較器４２の他方の入力端には、ウォブルＰＬＬ部３０で生成されたウォブルＰＬＬクロックが分周部（１）で分周された後、入力される。
【００５０】
なお、分周部（１）は、分周部（３）によって分周される記録クロックの周波数と、ウォブルＰＬＬクロックの周波数とを略一致させるために設けているものであり、分周部（３）による分周比を適宜設定することによって省略することもできる。
【００５１】
位相比較器４２の出力（位相誤差）はループ補償部４３に入力される。ループ補償部４３では、位相誤差に対してループ補償が施される。減算部４４では、ループ補償された位相誤差からダンピングループＬｄの制御量が減算された後、ＶＣＯ４５の制御信号となってＶＣＯ４５に入力される。
【００５２】
なお、ＶＣＯ４５の入力に印加されているノイズｎ及びその加算部は、ＶＣＯ４５の制御信号やＶＣＯ４５の内部に印加されるデジタルクロックノイズ等の雑音源をモデル化して記載したものであり、記録クロック生成部４０の実構成に含まれるものではない。
【００５３】
ダンピングループＬｄは、周波数変動検出部５０をフィードバックループに備えて構成される。周波数変動検出部５０は、記録クロックの周波数変動量を検出し、特に、記録クロック生成フェーズロックループＬｐの制御帯域よりも高い周波数成分をもつ周波数変動量を検出し、ＶＣＯ４５の制御信号に負帰還をかけるものである。ダンピングループＬｄの開ループゲインを高く設定することにより、ノイズｎによるＶＣＯ４５の周波数変動を抑圧することができる。
【００５４】
記録クロックの周波数変動の検出手段は種々の手段で構成することができるが、例えば、図２に例示したように、周波数純度の高い固定周波数源５１、固定周波数源５１の周波数と記録クロックの周波数差を検出する周波数差検出部５２、および重み付けフィルタ５３で構成される。固定周波数源５１は、例えば周波数安定度の高い水晶発信器等で実現されるものである。
【００５５】
また、周波数差検出部５２、重み付けフィルタ５３は種々の回路構成で実現できるが、図３は、その一例を示す図である。
【００５６】
固定周波数源５１の出力信号は第１のパルス生成部５５に入力される。第１のパルス列生成部５５は、例えばワンショットマルチバイブレータであり、固定周波数源５１の周波数と同じパルス繰り返し周波数（１／ｔ１）と、一定のパルス幅τを有するパルス列を発生させる。
【００５７】
同様に記録クロックは、第２のパルス生成部５４に入力される。第２のパルス列生成部５５は、記録クロックの周波数と同じパルス繰り返し周波数（１／ｔ２）と、第１のパルス列生成部５５と同じパルス幅τを有するパルス列を発生させる。
【００５８】
これらのパルス列は、それぞれ負の電流源５７と正の電流源５６をオン・オフする。負の電流源５７と正の電流源５６はその接合点αが容量Ｃと抵抗Ｒに接続されており、電流源５７と電流源５６の電流の差が容量Ｃと抵抗Ｒによって平滑されると共に、抵抗Ｒによって電流から電圧に変換されることになる。
【００５９】
この電圧値が、固定周波数源５１の周波数と記録クロックの周波数の差に比例した量を示している。
【００６０】
また、接合点には、容量ｃ１、ｃ２、抵抗ｒ１、ｒ２、及びアンプＡ１で構成される直流低減回路５８が接続されている。この直流低減回路５８は、インダクタンスＬと等価な回路であり、低周波成分の電流を接地側に吸収させることによって、開ループに低域減衰特性を与えている。
【００６１】
ループゲインアンプ５９は、ダンピングループＬｄのループゲインを調節するために設けられているものである。
【００６２】
ループゲインアンプ５９の出力は、減算部４４に印加され、ＶＣＯ４５の制御信号に対して負帰還が掛かることになる。この結果、ノイズｎの影響を受けてＶＣＯ４５の周波数が変化しようとした場合、その動きを抑圧する（ダンピングする）方向に帰還が作用する。即ち、裸特性としては周波数安定度の悪いＶＣＯ４５を、周波数安定度の高いＶＣＯ４５に改善することができる。
【００６３】
図４は、上記のように構成されたダンピングループＬｄの開ループ特性の一例を模式的に示すものである。開ループゲインが０ｄＢ以上の領域がノイズｎの影響による周波数変動（ジッタ）を抑圧できる周波数領域である。中央部のゲインＧｍが高いほど、ノイズｎの影響による周波数変動に対する抑圧性能が高くなる。
【００６４】
上限周波数ｆｕから高域に向かってゲインが低下する一次減衰カーブは、容量Ｃと抵抗Ｒによるものである。上限周波数ｆＬが高いほど、ＶＣＯ４５のジッタの高域成分を高い周波数範囲まで抑圧できる。従って、上限周波数ｆＬは、帰還ループの安定性が確保される範囲で可能な限り高く設定するように構成することが好ましい。
【００６５】
下限周波数ｆＬから低域に向かってゲインが低下しているのは、直流低減回路５８の効果によるものである。下限周波数ｆＬ以下のゲインを低下させることによって、記録クロック生成フェーズロックループＬｐへの影響を低減させている。
【００６６】
下限周波数ｆＬを、記録クロック生成フェーズロックループＬｐの制御帯域の上限よりも低く設定すると、ウォブルＰＬＬクロックに追従する記録クロックを生成するという、本来の目的が損なわれるからである。
【００６７】
図３に例示したチャージポンプ方式の周波数差検出部５２は、この形態に限定されるものではなく、記録クロックと固定周波数源５１との周波数差を検出できるものであれば良い。また、重み付けフィルタ５３の構成も、図３に例示した形態に限定されるものではなく、図４に例示した開ループ特性を実現できるものであれば良い。
【００６８】
上述したように、本実施形態に係る情報記録再生装置、およびその記録クロック生成方法によれば、デジタルノイズ等によるＶＣＯ４５の周波数変動を抑圧することができ、その結果、ジッタの少ない品質の良好な記録クロックを生成することができる。また、記録クロックの安定化は、通常用いられる記録クロック生成フェーズロックループＬｐにダンピングループＬｄを付加するという、簡素な形態で実現できる。
【００６９】
なお、本発明は上記の実施形態そのままに限定されるものではなく、実施段階ではその要旨を逸脱しない範囲で構成要素を変形して具体化できる。また、上記実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【００７０】
【図１】本発明に係る情報記録再生装置の一実施形態のシステム構成例を示す図。
【図２】記録クロック生成部の細部構成例を示す図。
【図３】周波数差検出部および重み付けフィルタの細部構成例を示す図。
【図４】ダンピングループの開ループ特性の一例を示す図。
【図５】従来技術に係る記録クロックの発生系の一例を示す図。
【符号の説明】
【００７１】
１  情報記録再生装置
１０  光ディスク
３０  ウォブルＰＬＬ部
４０  記録クロック生成部
４２  位相比較器
４３  ループ補償部
４４  減算部
４５  ＶＣＯ
５０  周波数変動検出部
５１  固定周波数源
５２  周波数差検出部
５３  重み付けフィルタ
Ｌｐ  記録クロック生成フェーズロックループ
Ｌｄ  ダンピングループ
【図１】
2007207291.tif 000003
【図２】
2007207291.tif 000004
【図３】
2007207291.tif 000005
【図４】
2007207291.tif 000006
【図５】
2007207291.tif 000007